【手続補正書】
【提出日】平成19年3月5日(2007.3.5)
【手続補正１】
【補正対象書類名】特許請求の範囲
【補正対象項目名】全文
【補正方法】変更
【補正の内容】
【特許請求の範囲】
【請求項１】
第１の基板と第２の基板とのそれぞれに電極を設け、それぞれの電極の交点に画素部を有し、第１の基板と第２の基板との間に紫外線照射が必要な液晶層とを備え、
前記第１の基板上には反射膜または遮光膜を設け、該反射膜または遮光膜には開口部が設けられることを特徴とする液晶パネル。
【請求項２】
前記液晶層は液晶とポリマーとを含むことを特徴とする請求項１に記載の液晶パネル。
【請求項３】
前記液晶層は高分子散乱型液晶であることを特徴とする請求項２に記載の液晶パネル。
【請求項４】
前記液晶層へ印加する電圧が小さい場合に、前記液晶層が透明となり、前記液晶層へ印加する電圧が大きいと液晶層が散乱することを特徴とする請求項３に記載の液晶パネル。
【請求項５】
前記画素部が配置された表示部と、該表示部の周囲に配置された非表示部とを備え、前記表示部または前記非表示部の前記反射膜または遮光膜に前記開口部を配置することを特徴とする請求項１に記載の液晶パネル。
【請求項６】
前記反射膜または遮光膜の開口部に光を通過させる補助光源を備えることを特徴とする請求項１に記載の液晶パネル。
【請求項７】
前記補助光源は、エレクトロルミネッセントライトまたはＬＥＤであることを特徴とする請求項６に記載の液晶パネル。
【請求項８】
前記反射膜または遮光膜は第１の基板上の液晶層側に配置されることを特徴とする請求項１に記載の液晶パネル。
【請求項９】
前記反射膜または遮光膜は、金、銀、アルミ、白金、または多層膜であることを特徴とする請求項１に記載の液晶パネル。
【請求項１０】
前記画素部には、カラーフィルターが配置され、該カラーフィルターにも、透過率の大きい開口部を備えることを特徴とする請求項１に記載の液晶パネル。
【請求項１１】
前記カラーフィルターは前記第２の基板上に配置されていることを特徴とする請求項１
０に記載の液晶パネル。
【請求項１２】
前記カラーフィルターの開口部は、前記反射膜または遮光膜の開口部と異なる位置に設けられていることを特徴とする請求項１０に記載の液晶パネル。
【請求項１３】
前記カラーフィルターは島状に配置されていることを特徴とする請求項１０に記載の液晶パネル。
【請求項１４】
前記カラーフィルターの開口部には、前記カラーフィルターより大きな光透過性を有する高透過性カラーフィルターが配置されていることを特徴とする請求項１０に記載の液晶パネル。
【請求項１５】
前記カラーフィルターの開口部は、前記カラーフィルターの膜厚が薄くなっていることを特徴とする請求項１０に記載の液晶パネル。
【請求項１６】
前記カラーフィルターの開口部は画素部内に複数配置されていることを特徴とする請求項１０に記載の液晶パネル。
【請求項１７】
前記カラーフィルターの開口部には、光透過性の樹脂が配置されていることを特徴とする請求項１０に記載の液晶パネル。
【請求項１８】
前記カラーフィルターの開口部には、光を散乱するための部材を設けることを特徴とする請求項１０に記載の液晶パネル。
【請求項１９】
前記光を散乱するための部材は光透過性の樹脂であり、凸部を有することを特徴とする請求項１８に記載の液晶パネル。
【請求項２０】
前記カラーフィルターの開口部は、光透過性絶縁粒子が配置されていることを特徴とする請求項１０に記載の液晶パネル。
【請求項２１】
前記カラーフィルターの開口部は、前記光透過性絶縁粒子が凝集している箇所であることを特徴とする請求項１０に記載の液晶パネル。
【請求項２２】
前記光を散乱するための部材は、光透過性絶縁粒子であることを特徴
とする請求項１０に記載の液晶パネル。
【請求項２３】
前記反射膜の上には絶縁膜を配置することを特徴とする請求項１に記載の液晶パネル。
【請求項２４】
前記画素部にはスイッチング素子が配置されていることを特徴とする請求項１に記載の液晶パネル。
【請求項２５】
前記画素部には半導体層が配置され、前記半導体層への光の入射を防止するために、前記反射膜または遮光膜を設けることを特徴とする請求項１に記載の液晶パネル。
【請求項２６】
前記第２の基板に対して観察者側には、紫外線遮蔽膜を設けることを特徴とする請求項１に記載の液晶パネル。
【手続補正２】
【補正対象書類名】明細書
【補正対象項目名】００２５
【補正方法】変更
【補正の内容】
【００２５】
本発明の液晶パネルは第１の基板と第２の基板とのそれぞれに電極を設け、それぞれの電極の交点に画素部を有し、第１の基板と第２の基板との間に紫外線照射が必要な液晶層とを備え、第１の基板上には反射膜または遮光膜を設け、この反射膜または遮光膜には開口部が設けられることを特徴とする。
【手続補正３】
【補正対象書類名】明細書
【補正対象項目名】００２７
【補正方法】変更
【補正の内容】
【００２７】
さらに、画素部が配置された表示部と、表示部の周囲に配置された非表示部とを備え、表示部または非表示部の反射膜または遮光膜に開口部を配置することを特徴とする。また、反射膜は、金、銀、アルミ、白金、または多層膜であることを特徴としている。
【手続補正４】
【補正対象書類名】明細書
【補正対象項目名】００２８
【補正方法】変更
【補正の内容】
【００２８】
さらに、画素部には、カラーフィルターが配置され、該カラーフィルターにも、透過率の大きい開口部を備えることを特徴としている。さらにカラーフィルターの開口部は、反射膜または遮光膜の開口部と異なる位置に設けられていることを特徴としている。また、カラーフィルターは島状に配置されていることを特徴としている。液晶層は液晶とポリマーの混合液晶層であることを特徴としている。
【手続補正５】
【補正対象書類名】明細書
【補正対象項目名】００３２
【補正方法】変更
【補正の内容】
【００３２】
さらに、反射膜または遮光膜の上には絶縁膜を配置することを特徴としている。また、画素部には非線形抵抗素子が配置されていてもかまわない。そして、補助光源は、エレクトロルミネッセントライトまたはＬＥＤであることを特徴としている。
【手続補正６】
【補正対象書類名】明細書
【補正対象項目名】００３３
【補正方法】変更
【補正の内容】
【００３３】
つまり、各画素部のカラーフィルター、または反射膜または遮光膜などの光の透過が減衰する光透過減衰膜を配置し、この光透過減衰膜には、光の透過する複数の開口部を有していてもよい。または、各画素部には、複数の島状の光透過減衰膜を備え、この光透過減衰膜の周囲には光の透過する開口部を有してもよい。
【手続補正７】
【補正対象書類名】明細書
【補正対象項目名】００３５
【補正方法】変更
【補正の内容】
【００３５】
また、各画素部と見切り部に設ける開口部の密度が異なってもよい。または、第１の基板上に反射膜または遮光膜などの光透過減衰膜を有し、第２の基板上にカラーフィルターからなる光透過減衰膜を有してもよい。さらに、各画素部の２種類の光透過減衰膜には、光の透過する開口部を有していてもよい。
【手続補正８】
【補正対象書類名】明細書
【補正対象項目名】００３６
【補正方法】変更
【補正の内容】
【００３６】
反射膜または遮光膜の設ける開口部とカラーフィルターに設ける開口部とが各画素部において異なる位置に分布していてもよい。本発明の液晶パネルは、島状のカラーフィルター、または反射膜上の少なくとも一方の配向膜と開口部上の配向膜とは異なる配向特性を有する。